【手続補正書】
【提出日】平成15年11月10日(2003.11.10)
【手続補正１】
【補正対象書類名】明細書
【補正対象項目名】発明の名称
【補正方法】変更
【補正の内容】
【発明の名称】シート材給送用ローラおよび画像形成装置
【手続補正２】
【補正対象書類名】明細書
【補正対象項目名】特許請求の範囲
【補正方法】変更
【補正の内容】
【特許請求の範囲】
【請求項１】
シート材に係合してこれを給送する摩擦部材と、該摩擦部材を支持するローラホルダー部を有し、ローラ軸に対しラジアル方向に着脱自在に装着され、シート材を給送する給送ローラにおいて、前記ローラホルダー部はローラ軸に対する載置部を有し、該載置部に該載置部とでローラ軸を挟持固定する係止部材が相対移動可能に設けられていることを特徴とするシート材給送用ローラ。
【請求項２】
シート材に係合してこれを給送する摩擦部材と、該摩擦部材を支持するローラホルダー部を有し、ローラ軸に対しラジアル方向に着脱自在に装着され、シート材を給送する給送ローラにおいて、前記ローラホルダー部はローラ軸に対する載置部と、該載置部の長手方向両端部から垂下する一対の垂下部を有し、該一対の垂下部に、前記載置部とでローラ軸を挟持固定する係止部材が相対回転可能に設けられていることを特徴とするシート材給送用ローラ。
【請求項３】
前記係止部材は、その回転中心に関し一側にローラ軸に係合する爪部、他側に係止部材を操作する為の操作部が設けられていることを特徴とする請求項２記載のシート材給送用ローラ。
【請求項４】
シート材に係合してこれを給送する摩擦部材と、該摩擦部材を支持するローラホルダー部を有し、ローラ軸に対しラジアル方向に着脱自在に装着され、シート材を給送する給送ローラにおいて、前記ローラホルダー部と係止部材が弾性プラスチックにより一体成形され、ローラホルダー部はローラ軸に対する載置部を有し、該載置部と係止部材によりローラ軸を挟持固定することを特徴とするシート材給送用ローラ。
【請求項５】
前記係止部材と載置部の一端はヒンジ部を介して回動可能に連結され、係止部材及び載置部の他端に互いに係合する係合部が設けられ、係止部材の中間部にローラ軸に当接する突起部が設けられていることを特徴とする請求項４記載のシート材給送用ローラ。
【請求項６】
前記係止部材のローラ軸係止のための回転方向は、摩擦部材のシート給送のための回転方向と反対方向とされ、係止部材によるローラ軸に対する係止が不完全な場合、係止部材がローラ軸に対して係止する方向に移動することを特徴とする請求項２、３又は５記載のシート材給送用ローラ。
【請求項７】
前記ローラホルダー部にローラ軸の穴に係合するピンが設けられていることを特徴とする請求項１乃至６のいずれかに記載のシート材給送用ローラ。
【請求項８】
請求項１から７のいずれか１つに記載のシート材給送用ローラと、該給送用ローラが着脱自在に装着されるローラ軸とを有し、
前記給送用ローラから給送されたシート材に対して画像形成を行うことを特徴とする画像形成装置。
【手続補正３】
【補正対象書類名】明細書
【補正対象項目名】０００３
【補正方法】変更
【補正の内容】
【０００３】
画像形成部における電子写真感光体等の感光ドラム１０９には、スキャナユニット１１０からのレーザユニット等の露光により潜像が形成される。画像形成部１０８内で感光ドラム１０９の潜像が図示しない現像手段によりトナー現像された後、感光ドラム１０９および定着手段である転写ローラ１１１の間のニップ部において転写ローラによりシート材上にトナーが転写される。シート材１０３は、ガイドパス１１２を経由して定着手段である定着ローラ対１１３に送られ、定着ローラ対１１３のニップをもってトナーがシート材１０３に定着される。その後、シート材１０３はガイドパス１１４を経由して排出ローラ対１１５によって排出される。


【手続補正４】
【補正対象書類名】明細書
【補正対象項目名】００１４
【補正方法】変更
【補正の内容】
【００１４】
第７の発明は、前記ローラホルダー部にローラ軸の穴に係合するピンが設けられていることを特徴とする。上記第１から第７の発明であるシート材給送用ローラは、画像形成装置に設けることができる。
【手続補正５】
【補正対象書類名】明細書
【補正対象項目名】００１８
【補正方法】変更
【補正の内容】
【００１８】
給送ローラ４の摩擦部材４ｃはゴム、樹脂等の高摩擦材料で作製されており、軸に対する垂直断面でみて、空洞部４ｃ１を有する略半月状の環形状をなしている。給送ローラ４のホルダー部４ｂは、ローラ軸５に載置されるとともに軸方向に延びる載置部４ｂ１、該載置部４ｂ１の軸方向即ち長手方向の両端部から垂下する垂下部４ｂ２を有する。載置部４ｂ１にはガイドピン４ｂ３が設けられている。一対の垂下部４ｂ２にはローラ軸５が通過するガイド溝４ｂ４が形成され、またホルダー部をローラ軸にスナップ作用により固定する係止部材４ａが回動軸４ｄにより枢支されている。載置部４ｂ１の軸方向一端から上方へ支壁部４ｂ５が延び、該支壁部４ｂ５から、前記摩擦部材の空洞部４ｃ１に対応する形状のボス部４ｂ６が、ローラ軸に並行に突設されている。なお、図２（ａ）における左側の、係止部材４ａが設けられない垂下部４ｂ２は、係止部材４ａが設けられる右側部分と同様な形状とすることなく、省略してもよい。


【手続補正６】
【補正対象書類名】明細書
【補正対象項目名】００１９
【補正方法】変更
【補正の内容】
【００１９】
ホルダー部のボス部を摩擦部材の空洞部に圧入することにより両者は給送ローラとしてユニット化される。


【手続補正７】
【補正対象書類名】明細書
【補正対象項目名】００２０
【補正方法】変更
【補正の内容】
【００２０】
このユニット化された給送ローラ４をローラ軸５のラジアル方向（矢印Ａ方向）から取りつけようとすると、ローラホルダー部４ｂのガイドピン４ｂ３がローラ軸５に開けられた穴に呼び込まれる。ここで、ローラホルダー部４ｂ上に回動軸４ｄにより枢支された係止部材４ａを矢印Ｂ方向に押し回すことにより、係止部材及び回動軸等の弾性力により、係止部材４ａの爪部４ａ１と載置部４ｂ１との間にローラ軸５に弾性的に挟持固定する。その際、爪部４ａ１のローラ軸への当接部の形状は次のようにすることが好ましい。即ち、係止部材４ａを矢印Ｂ（図２（ａ））方向に回動する際、ローラ軸５と回動軸４ｄの両中心を結ぶ線を係止部材４ａの爪部４ａ１の先導部が通過するまでは係止部材は大きな回動抵抗を受け、通過後は、前記弾性力により係止部材に矢印Ｂ方向の回動力が作用するように、爪部にテーパを設けることが好ましい。そして係止部材のＢ方向の回動は、ホルダー部の壁部４ｂ８に当接することにより停止される。


【手続補正８】
【補正対象書類名】明細書
【補正対象項目名】００２４
【補正方法】変更
【補正の内容】
【００２４】
以上の構成により、操作部４ｅに指を掛けこれを矢印Ｆ方向に移動させることにより、係止部材４ｆはヒンジ部４ｈを中心として回動し、フック状の係合部４ｇ１、４ｇ２はスナップ作用により弾性的に互いに固定されたり外れたりする。固定された状態では、突起部４ｊが適切な圧をもってローラ軸５を抑えつける。  本実施形態でもスナップ部を固定し忘れた状態で給送ローラ４に駆動が伝達して矢印Ｅ方向に回転し、スナップ部がローラの下部周辺に存在するシート材３や分離パッド（図示せず）等に当接したとしても、係止部材はローラ軸５に対して固定される方向（矢印Ｂ方向）に回転しその係止が行われる。


【手続補正９】
【補正対象書類名】明細書
【補正対象項目名】００２５
【補正方法】変更
【補正の内容】
【００２５】
【発明の効果】
以上説明したように、本発明によれば、ローラ軸に対しラジアル方向から着脱できるシート材給送用ローラは、該給送用ローラのローラ軸に対する載置部と、該載置部に対し相対移動可能に設けられた係止部材とを有するので、係止部材を一方向に移動して載置部とでローラ軸を挟持固定し、他方向に回動することによりその固定を解除して給送用ローラをローラ軸からラジアル方向に取り外すことができ、給送用ローラの容易な交換性を簡単な構成で実現することができる。また、給送用ローラのシート材給送時の回転方向に対し、係止部材のローラ軸への固定のための回転方向を逆方向とすることにより、固定が不完全な状態で給送用ローラがシート材給送方向に回転した場合に、係止部材が給送用ローラをローラ軸に対して固定する方向に移動することができる。